【手続補正書】
【提出日】平成25年8月29日(2013.8.29)
【手続補正１】
【補正対象書類名】明細書
【補正対象項目名】０００２
【補正方法】変更
【補正の内容】
【０００２】
【特許文献１】ＷＯ９１／１０６０２
【手続補正２】
【補正対象書類名】明細書
【補正対象項目名】００１４
【補正方法】変更
【補正の内容】
【００１４】
コンテナはまた、コンテナ２０の外表面２５から半径方向外側に突出したフランジ２４を有している。ヒンジ４０はまたコンテナフランジ２４に付着している。ヒンジ４０はまたコンテナの開閉中、曲げ点として機能するリセス（ヒンジリセス）４２を有している。
【手続補正３】
【補正対象書類名】特許請求の範囲
【補正対象項目名】全文
【補正方法】変更
【補正の内容】
【特許請求の範囲】
【請求項１】
コンテナとキャップとで構成された再シール可能なコンテナ・キャップ・アセンブリであって：
前記コンテナは、上部と外表面を有し、前記上部に縁を有していて、前記縁は、前記コンテナの内表面に平行な内壁を有しており；
前記キャップは、前記コンテナに付着したヒンジを有していて、そして外周面を有する円形ベースと、前記ベースの前記外周面の回りで垂直かつ外方向に延びる円筒管状スカートとを有し、前記スカートは内壁を有し、前記内壁は少なくとも一つのリセスを有し、前記キャップは対向する両端有し、前記キャップは、前記コンテナの開閉を容易にするための親指タブとを有し、前記親指タブと前記ヒンジとは、前記キャップの対向する両端に位置すると共に、前記キャップの前記スカートから垂直かつ外方に延びている；再シール可能なコンテナ・キャップ・アセンブリにおいて、
閉位置において、前記キャップの前記スカートが前記コンテナの上にかぶさって、前記コンテナの前記縁が、前記キャップの前記スカートの前記内壁の前記リセス内に位置し、前記コンテナを漏洩防止状態及び／又は気密状態にしていて、前記コンテナは、前記縁と前記キャップの内側平面部との間の接触によってのみ漏洩防止状態又は気密状態にするために、前面から単一動作で親指タブに下向きの力を加えることによりシールされかつ再シールできるようになっており、
前記ヒンジがヒンジリセスを有し、前記ヒンジリセスが、前記キャップの前記スカートに付着された第１エレメントと、前記コンテナに付着された第２エレメントの二つのエレメントを形成し、前記ヒンジリセスが前記コンテナの開閉中、曲げ点として機能していて、
前記ヒンジの第１エレメントは、前記ヒンジリセスの中心線から前記キャップの外周辺までの寸法が、0.76mm（0.03in）から3.175mm（0.125in）の間である、再シール可能なコンテナ・キャップ・アセンブリ。
【請求項２】
前記コンテナが更に前記コンテナの外表面から半径方向外側に突出したフランジを備えていることを特徴とする、請求項１に記載の再シール可能なコンテナ・キャップ・アセンブリ。
【請求項３】
前記ヒンジが前記コンテナフランジに付着していることを特徴とする、請求項２に記載の再シール可能なコンテナ・キャップ・アセンブリ。
【請求項４】
前記キャップの前記スカートが前記閉位置の間、前記コンテナフランジの上にかぶさり着座するようになっていることを特徴とする、請求項２に記載の再シール可能なコンテナ・キャップ・アセンブリ。
【請求項５】
前記再シール可能なコンテナ・キャップ・アセンブリが、閉位置において、気密シール状態になることを特徴とする、請求項１に記載の再シール可能なコンテナ・キャップ・アセンブリ。
【請求項６】
以下のテスト方法−（ａ）コンテナ内に１±０．２５ｇの分子ふるい（篩）を置き、その重量を記録し、（ｂ）親指タブに隣接した前記縁が、これもまた親指タブに隣接したキャップの内側平面部に接触するまで、前面から単一動作で親指タブに下方向に圧力を加えることによってコンテナを閉じ、（ｃ）閉じたコンテナを、相対湿度８０％、２２．２℃（７２°Ｆ）の温度の状態の環境室内に置き、（ｄ）１日後に分子ふるいを含むコンテナの重量を測り、（ｅ）４日後に分子ふるいを含むコンテナの重量を測り、（ｆ）４日目の値から１日目の値を引いて、コンテナに浸入した水分をマイクログラム単位で計算する−で判定される前記コンテナに浸入した水分が３日後に１５０μｇより少ないことを特徴とする、請求項５に記載の再シール可能なコンテナ・キャップ・アセンブリ。
【請求項７】
前記キャップとコンテナとがプラスチックで成形されていることを特徴とする、請求項１に記載の再シール可能なコンテナ・キャップ・アセンブリ。
【請求項８】
前記キャップとコンテナとがプラスチックで一体に成形されて、その間にヒンジを形成したことを特徴とする、請求項７に記載の再シール可能なコンテナ・キャップ・アセンブリ。
【請求項９】
前記キャップが前記閉位置の間、前記コンテナの前記縁に圧装されていることを特徴とする、請求項１に記載の再シール可能なコンテナ・キャップ・アセンブリ。
【請求項１０】
コンテナとキャップとで構成された再シール可能なコンテナ・キャップ・アセンブリであって：
前記コンテナは、上部と外表面を有し、前記上部に縁を有していて、前記縁は、前記コンテナの内表面に平行な内壁を有しており；
前記キャップは、前記コンテナに付着したヒンジを有していて、そして外周面を有する円形ベースと、前記ベースの前記外周面の回りで垂直かつ外方向に延びる円筒管状スカートとを有し、前記スカートは内壁を有し、前記内壁は少なくとも一つのリセスを有し、前記キャップは対向する両端有し、前記キャップは、前記コンテナの開閉を容易にするための親指タブとを有し、前記親指タブと前記ヒンジとは、前記キャップの対向する両端に位置すると共に、前記キャップの前記スカートから垂直かつ外方に延びている；再シール可能なコンテナ・キャップ・アセンブリにおいて、
閉位置において、前記キャップの前記スカートが前記コンテナの上にかぶさって、前記コンテナの前記縁が、前記キャップの前記スカートの前記内壁の前記リセス内に位置し、前記コンテナを漏洩防止状態及び／又は気密状態にしていて、前記コンテナは、前記縁と前記キャップの内側平面部との間の接触によってのみ漏洩防止状態又は気密状態にするために、前面から単一動作で親指タブに下向きの力を加えることによりシールされかつ再シールできるようになっており、
前記ヒンジがヒンジリセスを有し、前記ヒンジリセスが、前記キャップの前記スカートに付着された第１エレメントと、前記コンテナに付着された第２エレメントの二つのエレメントを形成し、前記ヒンジリセスが前記コンテナの開閉中、曲げ点として機能していて、
前記ヒンジの第２エレメントは、前記ヒンジリセスの中心線から前記コンテナの外周辺までの寸法が、2.54mm（0.1in）から4.593mm（0.195in）の間である、再シール可能なコンテナ・キャップ・アセンブリ。
【請求項１１】
コンテナとキャップとで構成された再シール可能なコンテナ・キャップ・アセンブリであって：
前記コンテナは、上部と外表面を有し、前記上部に縁を有していて、前記縁は、前記コンテナの内表面に平行な内壁を有しており；
前記キャップは、前記コンテナに付着したヒンジを有していて、そして外周面を有する円形ベースと、前記ベースの前記外周面の回りで垂直かつ外方向に延びる円筒管状スカートとを有し、前記スカートは内壁を有し、前記内壁は少なくとも一つのリセスを有し、前記キャップは対向する両端有し、前記キャップは、前記コンテナの開閉を容易にするための親指タブとを有し、前記親指タブと前記ヒンジとは、前記キャップの対向する両端に位置すると共に、前記キャップの前記スカートから垂直かつ外方に延びている；再シール可能なコンテナ・キャップ・アセンブリにおいて、
閉位置において、前記キャップの前記スカートが前記コンテナの上にかぶさって、前記コンテナの前記縁が、前記キャップの前記スカートの前記内壁の前記リセス内に位置し、前記コンテナを漏洩防止状態及び／又は気密状態にしていて、前記コンテナは、前記縁と前記キャップの内側平面部との間の接触によってのみ漏洩防止状態又は気密状態にするために、前面から単一動作で親指タブに下向きの力を加えることによりシールされかつ再シールできるようになっており、
前記ヒンジがヒンジリセスを有し、前記ヒンジリセスが、前記キャップの前記スカートに付着された第１エレメントと、前記コンテナに付着された第２エレメントの二つのエレメントを形成し、前記ヒンジリセスが前記コンテナの開閉中、曲げ点として機能していて、
前記親指タブは、前記キャップの外周辺から前記親指タブの端部までの寸法が、3.175mm（0.125in）から8.255mm（0.325in）の間である、再シール可能なコンテナ・キャップ・アセンブリ。
【請求項１２】
コンテナとキャップとで構成された再シール可能なコンテナ・キャップ・アセンブリであって：
前記コンテナは、上部と外表面を有し、前記上部に縁を有していて、前記縁は、前記コンテナの内表面に平行な内壁を有しており；
前記キャップは、前記コンテナに付着したヒンジを有していて、そして外周面を有する円形ベースと、前記ベースの前記外周面の回りで垂直かつ外方向に延びる円筒管状スカートとを有し、前記スカートは内壁を有し、前記内壁は少なくとも一つのリセスを有し、前記キャップは対向する両端有し、前記キャップは、前記コンテナの開閉を容易にするための親指タブとを有し、前記親指タブと前記ヒンジとは、前記キャップの対向する両端に位置すると共に、前記キャップの前記スカートから垂直かつ外方に延びている；再シール可能なコンテナ・キャップ・アセンブリにおいて、
閉位置において、前記キャップの前記スカートが前記コンテナの上にかぶさって、前記コンテナの前記縁が、前記キャップの前記スカートの前記内壁の前記リセス内に位置し、前記コンテナを漏洩防止状態及び／又は気密状態にしていて、前記コンテナは、前記縁と前記キャップの内側平面部との間の接触によってのみ漏洩防止状態又は気密状態にするために、前面から単一動作で親指タブに下向きの力を加えることによりシールされかつ再シールできるようになっており、
前記キャップの前記内壁の前記リセスが、基準垂直線に対して15°から35°の間の角度のついた角平面を有している、再シール可能なコンテナ・キャップ・アセンブリ。
【請求項１３】
コンテナとキャップとで構成された再シール可能なコンテナ・キャップ・アセンブリであって：
前記コンテナは、上部と外表面を有し、前記上部に縁を有していて、前記縁は、前記コンテナの内表面に平行な内壁を有しており；
前記キャップは、前記コンテナに付着したヒンジを有していて、そして外周面を有する円形ベースと、前記ベースの前記外周面の回りで垂直かつ外方向に延びる円筒管状スカートとを有し、前記スカートは内壁を有し、前記内壁は少なくとも一つのリセスを有し、前記キャップは対向する両端有し、前記キャップは、前記コンテナの開閉を容易にするための親指タブとを有し、前記親指タブと前記ヒンジとは、前記キャップの対向する両端に位置すると共に、前記キャップの前記スカートから垂直かつ外方に延びている；再シール可能なコンテナ・キャップ・アセンブリにおいて、
閉位置において、前記キャップの前記スカートが前記コンテナの上にかぶさって、前記コンテナの前記縁が、前記キャップの前記スカートの前記内壁の前記リセス内に位置し、前記コンテナを気密状態にしていて、前記コンテナは、前記縁と前記キャップの内側平面部との間の接触によってのみ気密状態にするために、前面から単一動作で親指タブに下向きの力を加えることによりシールされかつ再シールできるようになっており、
前記コンテナ・キャップ・アセンブリの閉位置における気密性能は、以下のテスト方法−（ａ）コンテナ内に１±０．２５ｇの分子ふるい（篩）を置き、その重量を記録し、（ｂ）親指タブに隣接した前記縁が、これもまた親指タブに隣接したキャップの内側平面部に接触するまで、前面から単一動作で親指タブに下方向に圧力を加えることによってコンテナを閉じ、（ｃ）閉じたコンテナを、相対湿度８０％、２２．２℃（７２°Ｆ）の温度の状態の環境室内に置き、（ｄ）１日後に分子ふるいを含むコンテナの重量を測り、（ｅ）４日後に分子ふるいを含むコンテナの重量を測り、（ｆ）４日目の値から１日目の値を引いて、コンテナに浸入した水分をマイクログラム単位で計算する−で判定される前記コンテナに侵入した水分が３日後に150μｇより少ないものとなっている、再シール可能なコンテナ・キャップ・アセンブリ。